(57)【要約】      （修正有）【課題】一部の携帯情報端末機にストラップ用のホルダー部を有していない機器において、手軽に及び機器本体にも安全にストラップ用ホルダーを設けることを可とするストラップ取付構造を提供する。【解決手段】円柱状の台座５の上部に、立方体１の頭部を形成しその中央部に孔２を開け、孔の周りはＣ面加工３を施す。立方体の大きさは、縦１．２ｍｍ、横２．０ｍｍ、厚さ１．０ｍｍ程度とする。頭部の下部にはネジ部６を構成し、取り付ける携帯端末の雌ネジと同径、同ピッチとする。ストラップ用の紐を本体頭部へ通す。使用する紐はスチール製が望ましい。紐を通した本体の対称側には、第２のホルダーを設け、様々なストラップを取り付けられる様にする。取り付けようとする携帯端末のネジをドライバー等で取り外し、上記立方体と置き換える。【選択図】図１
0003153823.tif 000002
【実用新案登録請求の範囲】
【請求項１】
円柱状の台座の上部に、立方体の頭部を形成し、立方体の中央部には孔が開けられ、台座の下部にはネジ部を設けたことを特徴とする携帯情報端末機のストラップ取付け構造。
【請求項２】
立方体の横の陵にはＲ加工が施され、孔の周りはＣ面加工が施されたことを特徴とする請求項１記載の携帯情報端末機のストラップ取付け構造。
【請求項３】
ストラップ用の紐にスチール製のより紐を使用したことを特徴とする請求項１から２いずれか１項に記載の携帯情報端末機のストラップ取付け構造。
【請求項４】
本体ネジ部に、シリコンが塗布されたことを特徴とする請求項１から３いずれか１項に記載の携帯情報端末機のストラップ取付け構造。
【請求項５】
第２のホルダー部に、携帯情報端末機本体から外したネジの収納部を有することを特徴とする請求項１から４いずれか１項に記載の携帯情報端末機のストラップ取付け構造。
【考案の詳細な説明】
【技術分野】
【０００１】
本考案は携帯情報端末機におけるストラップ取付け構造に関する。
【背景技術】
【０００２】
携帯電話等に代表される携帯情報端末機には、落下防止及びファッション性を持たせるために、様々なストラップを取付けることが最近では一般的である。このため、各々の携帯電話にはストラップを取付けるためのホルダー部を設け、そこへ紐等でストラップを固定して利用できるような機能を有しているのもが多い。
【０００３】
しかしながら、このストラップ取付けのためのボルダー部は全ての携帯電話や携帯情報端末機に設けられた構造ではなく、一部の機器ではこれらホルダー部を有していないものもある。まだこのストラップを取付けることが主流でなかった頃には、このホルダー部を形成する方法として、例えば特開２００５−２９６０４２号では、携帯電話本体にネジ孔を設け、そこへ先端にホルダー部を設けたネジを取付ける構造等が記載されているが、前述の一部の機器にホルダー部を有していない機器への取付けには、本体の破損や正常動作への障害等の危惧が課題として残る。
【先行技術文献】
【特許文献】
【０００４】
【特許文献１】特開２００８−１４７７６２号（第４頁、第５頁、図４）
【考案の概要】
【考案が解決しようとする課題】
【０００５】
一部の携帯情報端末機にストラップ用のホルダー部を有していない機器において、手軽に及び機器本体にも安全にストラップ用ホルダーを設けることを課題とする。
【課題を解決するための手段】
【０００６】
本考案は一部の携帯情報端末機にストラップ用のホルダー部を有していない機器であって、外側に本体筐体を固定するためのネジ部を有する機器において、このネジ部を利用しホルダー部を有するネジに置き換えることで、手軽に及び機器本体にも安全にストラップ用ホルダーを設けることを特徴とする。また、ホルダー部を有するネジと対象となる側に取り付ける第２のホルダーには、携帯情報端末機本体から外したネジを取り付ける収納部を有していることを第２の特徴とする。
【考案の効果】
【０００７】
携帯情報端末機本体に使用しているネジを、本考案のストラップ用ホルダーに交換することで、ストラップホルダー部を形成することができ、思い思いのストラップを取付けることが可能となる。
【０００８】
元来本体に設けられたネジ孔部を利用するため、機器本体への障害等の影響が生じることもなく、ストラップを取付けることが可能となる。また、ネジ部にネジロックが塗布されることで、外れ防止効果も生じる。
【図面の簡単な説明】
【０００９】
【図１】本考案の正面図
【図２】本考案の平面図
【図３】本考案の側面図
【図４】ストラップ取付け部の一例の透視図
【図５】ストラップ取付け状態を示す一例の正面図
【図６】ストラップ取付け面の一例の正面図
【図７】第２のホルダーの一例の三面図
【図８】第２のホルダーの一例の断面図
【図９】第２のホルダーリング状の一例の三面図
【図１０】第２のホルダーリング状の一例の断面図
【考案を実施するための最良の形態】
【００１０】
本考案の構成について、実施例を基に図面を引用して説明する。
【実施例１】
【００１１】
図１は本考案の正面図、図２は平面図、図３は側面図である。
円柱状の台座の上部に、立方体の頭部を形成し、立方体の横の陵にはＲ加工が施される。また立方体の中央部に孔を開け、孔の周りはＣ面加工を施す。この孔にストラップの紐を通す。陵のＲ加工及び孔の周りのＣ面加工は、ストラップの紐が切れないように鋭角を無くすためである。立方体の大きさは、この例では縦１．２ｍｍ、横２．０ｍｍ、厚さ１．０ｍｍ程度である。形状が小さいため、高度な加工技術を要する。
【００１２】
頭部の下部にはネジ部を構成し、取り付ける携帯端末の雌ネジと同じ径でありピッチとする。頭部も、取り付ける携帯端末のスペースに合わせた大きさとする。
【００１３】
使用するストラップ用の紐はスチール製が望ましいが、これに限定するものではない。スチール製の紐の場合、例えば８μｍ径のスチール製紐を約９００本より合わせたものが強度及び取り扱いを考慮すると望ましい。
紐を通した本体の対称側には、第２のホルダーを設け、様々なストラップを取り付け楽しむことが可能となる。
【００１４】
取り付けようとする携帯端末のネジをドライバー等で取り外し、紐を本体頭部へ通し、第２のホルダーを取り付けた本考案のストラップ用ホルダーに付け換えることで完成する。紐を通した本体は、ドライバーを使用せずに手で回しながら取り付けが可能である。図４はストラップ取付け部の一例の透視図、図５はストラップ取付け状態を示す一例の正面図、図６はストラップ取付け面の一例の正面図である。
【００１５】
本体ネジ部に、取り付け後の外れを防止するため、ネジロックを塗布することも可能である。ネジロックの材質はシリコンが望ましいが、ゴムや柔軟性のある樹脂、又は接着剤でもよい。
【実施例２】
【００１６】
本考案の紐を通した本体の対称側に取り付ける第２のホルダーには、携帯端末本体から外したネジを収納するネジ受部を設け、そこへ外したネジを収納することで紛失を防止できる。図７は鉾形の第２ホルダーの三面図である。キーホルダー等を取り付ける孔部１３は正面から背面に向けて大きめの孔部とし、紐を通す孔部１４は正面から底面にくの字形に紐が通る程度の孔部を設ける。底面には、携帯端末本体から外したネジを収納するネジ受部を設け、正面の孔部１４を隠すために、表面に段差を設けて板状のもので蓋を貼り付けることができる構造とする。図８は第２のホルダーの一例の断面図である。
【００１７】
この第２のホルダーの素材は、強度が確保できれば材質にはこだわらないが、強度及び加工性を考慮すると金属製が望ましい。ホルダーの端部等に段差を設け、デザイン性を持たせたり、模様や記号、文字等を加工又は刻印等により、思い思いのデザインをつけることも可能である。
正面段差部に貼り付ける板状の蓋には、金属又は樹脂製の平板、厚手のシール等が望ましい。表面にはイラストやマーク、イニシャル、標章等思い思いのデザインをつけることも可能である。
【実施例３】
【００１８】
実施例２の第２のホルダー形状をリング状にすることも可能である。図９は第２のホルダーリング状の一例の三面図である。この場合リング中心部にキーホルダー等を取り付ける孔部１３正面から背面に向けて大きめの孔部とし、紐を通す孔部１３の内側から底面に向けて紐が通る程度の孔部を設ける。側面には、携帯端末本体から外したネジを収納するネジ受部を設る。リングの端部等に段差を設け、デザイン性を持たせたり、リングに模様や記号、文字等を加工又は刻印等により、思い思いのデザインをつけることも可能である。
【産業上の利用可能性】
【００１９】
このストラップ用ホルダーは工業生産が可能であり、供給者において生産、販売が可能であり、又携帯情報端末生産者の純正部品としての利用も可能である。
【符号の説明】
【００２０】
１  立方体            ６  ネジ部              １１  携帯情報端末ネジ持部
２  孔                ７  ホルダー部透視図    １２  第２のホルダー
３  Ｃ面加工部        ８  携帯情報端末        １３  孔部
４  Ｒ加工部          ９  紐                  １４  紐孔部
５  台座            １０  第２ホルダー        １５  正面段差部    １６  ネジ受部
【図１】
0003153823.tif 000003
【図２】
0003153823.tif 000004
【図３】
0003153823.tif 000005
【図４】
0003153823.tif 000006
【図５】
0003153823.tif 000007
【図６】
0003153823.tif 000008
【図７】
0003153823.tif 000009
【図８】
0003153823.tif 000010
【図９】
0003153823.tif 000011
【図１０】
0003153823.tif 000012
【手続補正書】
【提出日】平成21年3月9日(2009.3.9)
【手続補正１】
【補正対象書類名】実用新案登録請求の範囲
【補正対象項目名】請求項５
【補正方法】変更
【補正の内容】
【請求項５】
第２のホルダーに、携帯情報端末機本体から外したネジの収納部を有することを特徴とする請求項１から４いずれか１項に記載の携帯情報端末機のストラップ取付け構造。
【手続補正書】
【提出日】平成21年4月13日(2009.4.13)
【手続補正１】
【補正対象書類名】実用新案登録請求の範囲
【補正対象項目名】請求項５
【補正方法】変更
【補正の内容】
【請求項５】
紐を通した本体の対称側に取り付ける第２のホルダーに、携帯情報端末機本体から外したネジの収納部を有することを特徴とする、携帯情報端末機のストラップ取付け構造。
【手続補正書】
【提出日】平成21年5月15日(2009.5.15)
【手続補正１】
【補正対象書類名】実用新案登録請求の範囲
【補正対象項目名】全文
【補正方法】変更
【補正の内容】
【実用新案登録請求の範囲】
【請求項１】
円柱状の台座の上部に、立方体の頭部を形成し、立方体の中央部には孔が開けられ、台座の下部にはネジ部を設けたことを特徴とする携帯情報端末機のストラップ取付け構造。
【請求項２】
立方体の横の陵にはＲ加工が施され、孔の周りはＣ面加工が施されたことを特徴とする請求項１記載の携帯情報端末機のストラップ取付け構造。
【請求項３】
前記孔にストラップ用の紐を通したものであって、前記ストラップ用の紐にスチール製のより紐を使用したことを特徴とする請求項１から２いずれか１項に記載の携帯情報端末機のストラップ取付け構造。
【請求項４】
本体ネジ部に、シリコンが塗布されたことを特徴とする請求項１から３いずれか１項に記載の携帯情報端末機のストラップ取付け構造。
【請求項５】
前記孔にストラップ用の紐を通し、該紐を通した本体の対称側に第２のホルダーを取付けたものであって、該第２ホルダーに、携帯情報端末機本体から外したネジの収納部を有することを特徴とする、請求項１から４いずれか１項に記載の携帯情報端末機のストラップ取付け構造。